(57)【特許請求の範囲】
【請求項１】
画像処理に用いる画質情報と露出補正に関する情報とを含む画質設定情報を記憶する記憶部と、
選択可能な前記画質設定情報を示す表示を行う表示部と、
撮影時の露出補正量として設定されている設定値と、撮影時の設定によって特定される前記画質設定情報に含まれた前記露出補正に関する情報から特定される値とを比較し、比較結果に応じた処理を実施する制御部とを備え、
前記制御部は、前記画質設定情報に含まれた前記露出補正に関する情報から特定される値と前記設定値との差が所定値以内となる前記画質設定情報を選択可能に設定することを特徴とする撮像装置。
【請求項２】
画像処理に用いる画質情報を調整するためのサンプル画像を表示装置に表示させ、前記サンプル画像を使用して調整された前記画質情報と前記サンプル画像の露出補正に関する情報とを含む画質設定情報を生成する画質設定部と、
前記画質設定部により生成された前記画質設定情報を取得し、取得した前記画質設定情報を選択的に使用する撮像部と、を備え、
前記画質設定部は、前記画質設定情報の生成に使用する前記サンプル画像が露出補正されているとき、警告を発することを特徴とする撮像装置。
【請求項３】
画像処理に用いる画質情報と露出補正に関する情報とを含む画質設定情報を記憶する記憶部を備えた撮像装置に実行させる画質設定プログラムであって、
撮影時の露出補正量として設定されている設定値と、撮影時の設定によって特定される前記画質設定情報に含まれた前記露出補正に関する情報から特定される値とを比較し、比較結果に応じた処理を実施する画質設定処理を撮像装置に実行させ、
前記画質設定処理では、選択可能な前記画質設定情報を示す表示を撮像装置の表示装置に行わせるとともに、前記画質設定情報に含まれた前記露出補正に関する情報から特定される値と前記設定値との差が所定値以内となる前記画質設定情報を選択可能に設定することを特徴とする画質設定プログラム。
【発明の詳細な説明】
【技術分野】
【０００１】
本発明は、撮像装置および画質設定プログラムに関する。
【背景技術】
【０００２】
一般に、デジタルカメラ等の撮像装置では、撮影画像の画像処理に複数のパラメータが使用される。例えば、撮影画像の画質は、画像処理に使用するパラメータ値の組み合わせ（以下、画質設定とも称する）を調整することにより、調整される。近年、予め用意された複数の画質設定から所望の画質設定をユーザの操作により選択するデジタルカメラが普及している。また、画像処理に使用する複数のパラメータをユーザの操作により個別に調整するデジタルカメラが提案されている（例えば、特許文献１）。この種のデジタルカメラでは、例えば、ユーザの所望する画質設定が撮影画像の画像処理に適用される。
【０００３】
また、一般的なデジタルカメラでは、撮影時の露出量を補正することにより、撮影により得られる画像を意図的に暗くあるいは明るくできる。例えば、露出補正量は、ユーザの操作により所望の値に設定される。
【先行技術文献】
【特許文献】
【０００４】
【特許文献１】特開２００５−２１７４８３号公報
【発明の概要】
【発明が解決しようとする課題】
【０００５】
露出補正量の設定は、画質設定の選択とは別の操作で実施される。このため、例えば、露出補正が実施される撮影では、ユーザにより選択された画質設定が露出補正を実施しない撮影により得られた画像に基づいて生成されているとき、ユーザの所望する画質が得られないおそれがある。すなわち、ユーザの所望する画質設定が撮影画像の画像処理に適用されても、ユーザの所望する画質が得られない場合がある。
【０００６】
本発明の目的は、撮影画像をユーザの所望する画質にすることである。
【課題を解決するための手段】
【０００７】
一の態様の撮像装置は、画質設定情報を記憶する記憶部と、選択可能な画質設定情報を示す表示を行う表示部と、制御部とを有している。画質設定情報は、画像処理に用いる画質情報と露出補正に関する情報とを含んでいる。制御部は、撮影時の露出補正量として設定されている設定値と、撮影時の設定によって特定される画質設定情報に含まれた露出補正に関する情報から特定される値とを比較し、比較結果に応じた処理を実施する。また、制御部は、画質設定情報に含まれた露出補正に関する情報から特定される値と設定値との差が所定値以内となる画質設定情報を選択可能に設定する。
他の態様の撮像装置は、画像処理に用いる画質情報を調整するためのサンプル画像を表示し、サンプル画像を使用して調整された画質情報とサンプル画像の露出補正に関する情報とを含む画質設定情報を生成する画質設定部と、画質設定部により生成された画質設定情報を取得し、取得した画質設定情報を選択的に使用する撮像部と、を備える。画質設定部は、画質設定情報の生成に使用するサンプル画像が露出補正されているとき、警告を発する。
さらに他の態様は、画像処理に用いる画質情報と露出補正に関する情報とを含む画質設定情報を記憶する記憶部を備えた撮像装置に実行させる画質設定プログラムである。画質設定プログラムは、撮影時の露出補正量として設定されている設定値と、撮影時の設定によって特定される画質設定情報に含まれた露出補正に関する情報から特定される値とを比較し、比較結果に応じた処理を実施する画質設定処理を撮像装置に実行させる。また、画質設定処理では、選択可能な画質設定情報を示す表示を撮像装置の表示装置に行わせるとともに、画質設定情報に含まれた露出補正に関する情報から特定される値と設定値との差が所定値以内となる画質設定情報を選択可能に設定する。
【発明の効果】
【０００８】
本発明によれば、撮影画像をユーザの所望する画質にできる。
【図面の簡単な説明】
【０００９】
【図１】一実施形態におけるカメラシステムの概要を示す図である。
【図２】図１に示した制御部の動作の一例を示す図である。
【図３】図１に示した画質設定装置の編集画面の一例を示す図である。
【図４】図１に示した画質設定装置の環境設定画面の一例を示す図である。
【図５】別の実施形態における撮像装置の制御部の動作の一例を示す図である。
【発明を実施するための形態】
【００１０】
以下、本発明の実施形態を図面を用いて説明する。
【００１１】
図１は、本発明の一実施形態を示している。カメラシステムＳＹＳは、例えば、露出補正機能を有する撮像装置１０と、ユーザの所望する画質設定情報ＳＩＮＦを生成する画質設定装置１００とを有している。画質設定装置１００により生成される画質設定情報ＳＩＮＦは、例えば、ＲＡＷ画像データＲＡＷＤＡＴＡの画像処理に用いられる複数のパラメータ（輪郭強調、コントラスト、明るさ、彩度および色合い等）のそれぞれの値を示す画質情報ＱＩＮＦと、画質情報ＱＩＮＦに対応する露出補正量を示す参照値とを有している。
【００１２】
画質設定装置１００は、例えば、画質設定情報ＳＩＮＦを生成するためのソフトウエアが搭載されたパーソナルコンピュータ等である。例えば、画質設定装置１００は、サンプル画像を使用して調整された画質情報ＱＩＮＦとサンプル画像の露出補正量を示す参照値とを含む画質設定情報ＳＩＮＦを生成する。
【００１３】
例えば、画質設定装置１００は、画質設定の効果をユーザに確認させるためのサンプル画像を表示し、画像処理の複数のパラメータをユーザの操作により調整された値に設定する。これにより、ユーザの所望するパラメータ値に調整された画質情報ＱＩＮＦが生成される。以下、ユーザにより調整された画質情報ＱＩＮＦを含む画質設定情報ＳＩＮＦを、カスタム画質設定ＳＩＮＦとも称する。すなわち、カスタム画質設定ＳＩＮＦは、画像処理の複数のパラメータがユーザの所望する値にそれぞれ調整された画質情報ＱＩＮＦと、参照値とを有している。
【００１４】
また、画質設定装置１００は、例えば、メモリカード等の着脱可能な記憶媒体や画質設定装置１００内のハードディスクに画質設定情報ＳＩＮＦを記憶する。例えば、着脱可能な記憶媒体に記憶された画質設定情報ＳＩＮＦは、撮像装置１０の記憶媒体インターフェース３６を介して、撮像装置１０に読み込まれる。このように、撮像装置１０は、画質設定装置１００により生成された画質設定情報ＳＩＮＦを取得する。また、撮像装置１０は、画質設定情報ＳＩＮＦを画質設定装置１００から取得した際、取得した画質設定情報ＳＩＮＦを撮像装置１０で使用できるように設定する。
【００１５】
なお、撮像装置１０および画質設定装置１００は、例えば、複数の画質設定情報ＳＩＮＦを予め有している。以下、撮像装置１０および画質設定装置１００に予め用意されている画質設定情報ＳＩＮＦ（カスタム画質設定ＳＩＮＦ以外の画質設定情報ＳＩＮＦ）を汎用画質設定ＳＩＮＦとも称する。例えば、この実施形態の汎用画質設定ＳＩＮＦは、画質情報ＱＩＮＦを有し、画質情報ＱＩＮＦに対応する露出補正量を示す参照値を有していない。汎用画質設定ＳＩＮＦの画質情報ＱＩＮＦは、例えば、標準的な画像を生成するスタンダード、実物に近い画像を生成するニュートラル、めりはりのある画像を生成するビビット、単色で表現した画像を生成するモノクローム、人物の撮影に適したポートレイトおよび風景の撮影に適したランドスケープ等である。
【００１６】
撮像装置１０は、例えば、デジタルカメラであり、撮影レンズ２０、撮像素子２２、アナログ処理部２４、Ａ／Ｄ変換部２６、制御部２８、画像処理部３０、バッファ部３２、メモリ３４、記憶媒体インターフェース３６、表示部３８および操作部４０を有している。例えば、Ａ／Ｄ変換部２６、制御部２８、画像処理部３０、バッファ部３２、メモリ３４、記憶媒体インターフェース３６および表示部３８は、バスＢＵＳに接続されている。なお、図中の破線の矢印は、画像データＲＡＷＤＡＴＡ、ＩＭＧＤＡＴＡおよび画質設定情報ＳＩＮＦの流れの一例を示している。
【００１７】
撮影レンズ２０は、被写体の像を撮像素子２２の受光面に結像する。撮像素子２２は、例えば、ＣＣＤイメージセンサーやＣＭＯＳイメージセンサーである。撮像素子２２は、撮影レンズ２０を介して入射される被写体の像を電気信号（以下、画像信号とも称する）に変換し、変換した電気信号をアナログ処理部２４に出力する。
【００１８】
アナログ処理部２４は、撮像素子２２から受けた画像信号に対してアナログ信号処理を実施するアナログフロントエンド回路である。例えば、アナログ処理部２４は、画像信号のゲインを調整するゲイン制御や画像信号のノイズ成分を低減するための相関二重サンプリング処理等を実施し、アナログ画像データを生成する。そして、アナログ処理部２４は、生成したアナログ画像データをＡ／Ｄ変換部２６に出力する。
【００１９】
Ａ／Ｄ変換部２６は、アナログ処理部２４から受けたアナログ画像データをデジタル画像データに変換することにより、ＲＡＷ画像データＲＡＷＤＡＴＡを生成する。そして、Ａ／Ｄ変換部２６は、ＲＡＷ画像データＲＡＷＤＡＴＡをバッファ部３２に出力する。
【００２０】
制御部２８は、例えば、マイクロプロセッサであり、メモリ３４に記憶されているプログラムに基づいて、撮像装置１０の動作を制御する。例えば、制御部２８は、オートフォーカス制御、露出制御、ホワイトバランス制御および画像データの記録等を実施する。さらに、制御部２８は、例えば、メモリ３４に記憶されている画質設定プログラムに基づいて、撮影画像の画質を設定するための画質設定処理を実施する。画質設定処理では、制御部２８は、例えば、ＲＡＷ画像データＲＡＷＤＡＴＡの画像処理に用いる画質情報ＱＩＮＦを選択する。なお、制御部２８は、カスタム画質設定ＳＩＮＦの画質情報ＱＩＮＦを選択した場合、例えば、撮像装置１０に設定されている露出補正量（以下、設定値とも称する）とカスタム画質設定ＳＩＮＦの参照値とを比較し、比較結果に応じた処理を実施する。
【００２１】
例えば、制御部２８は、画質設定情報ＳＩＮＦを選択するための選択信号を受け、選択信号に基づいて選択した画質設定情報ＳＩＮＦ（図２に示すステップＳ１１０で選択した画質設定情報ＳＩＮＦ）の参照値と設定値との差が所定値より大きいとき、警告を発する。あるいは、制御部２８は、選択信号に基づいて選択した画質設定情報ＳＩＮＦの参照値と設定値との差が所定値より大きいとき、選択信号に基づいて選択した画質設定情報ＳＩＮＦの参照値を撮影時の露出補正量として設定する。なお、制御部２８の画質設定処理の動作の詳細は、図２で説明する。
【００２２】
画像処理部３０は、制御部２８により選択された画質情報ＱＩＮＦに基づいて、バッファ部３２に記憶されたＲＡＷ画像データＲＡＷＤＡＴＡに対して画像処理を実施する。これにより、撮影画像データＩＭＧＤＡＴＡが生成される。画像処理部３０は、撮影画像データＩＭＧＤＡＴＡをバッファ部３２に出力する。なお、画像処理部３０は、撮影画像データＩＭＧＤＡＴＡを、記憶媒体インターフェース３６を介して記憶媒体に記憶してもよい。
【００２３】
バッファ部３２は、例えば、Ａ／Ｄ変換部２６から受けたＲＡＷ画像データＲＡＷＤＡＴＡおよび画像処理部３０から受けた撮影画像データＩＭＧＤＡＴＡを一時的に記憶する。メモリ３４は、例えば、フラッシュメモリ等の不揮発性メモリで形成された内蔵メモリであり、撮像装置１０の動作を制御するためのプログラムおよび画質設定情報ＳＩＮＦ等を記憶する。
【００２４】
記憶媒体インターフェース３６は、記憶媒体を接続するためのコネクタを有している。記憶媒体インターフェース３６に記憶媒体が接続されているときに、制御部２８は、記憶媒体に対してデータの読み出し／書き込みを実行する。例えば、制御部２８は、記憶媒体に記憶された画質設定情報ＳＩＮＦ等をメモリ３４に記憶する。あるいは、制御部２８は、バッファ部３２に記憶された撮影画像データＩＭＧＤＡＴＡ等を記憶媒体に記憶する。
【００２５】
表示部３８は、例えば、液晶ディスプレイであり、スルー画像、撮影された画像およびメニュー画面等を表示する。操作部４０は、レリーズボタンおよびその他の各種スイッチを有し、撮像装置１０を動作させるために、ユーザにより操作される。例えば、ユーザは、操作部４０を操作することにより、撮影時の露出補正量を撮像装置１０に設定する。なお、例えば、表示部３８がタッチパネルの機能を有している場合、表示部３８は、操作部４０としても機能する。
【００２６】
図２は、図１に示した制御部２８の動作の一例を示している。なお、図２は、画質設定処理の動作の一例を示している。例えば、ステップＳ１００−Ｓ１６０は、制御部２８により、メモリ３４に記憶された画質設定プログラムに従って実施される。図２の動作では、例えば、制御部２８は、ステップＳ１００が実施される前に、画質設定装置１００により生成されたカスタム画質設定ＳＩＮＦを取得する。例えば、制御部２８は、画質設定情報ＳＩＮＦを読み込むための処理が選択されたとき、記憶媒体インターフェース３６に接続された記憶媒体から画質設定情報ＳＩＮＦを読み込む。そして、制御部２８は、読み込んだ画質設定情報ＳＩＮＦを撮像装置１０で使用できるように設定する。
【００２７】
ステップＳ１００では、制御部２８は、操作部４０の操作に応じて、撮像装置１０で使用可能な画質設定情報ＳＩＮＦを、表示部３８にリスト表示する。
【００２８】
ステップＳ１１０では、制御部２８は、撮影に使用する画質設定情報ＳＩＮＦを選択する。例えば、ユーザは、操作部４０を操作することにより、撮影画像の画像処理に用いる画質情報ＱＩＮＦを含む画質設定情報ＳＩＮＦを、表示部３８にリスト表示された画質設定情報ＳＩＮＦから選択する。そして、制御部２８は、例えば、ユーザが選択した画質設定情報ＳＩＮＦを示す選択信号を受け、ユーザが選択した画質設定情報ＳＩＮＦを認識する。すなわち、制御部２８は、画質設定情報ＳＩＮＦを選択するための選択信号を受け、受けた選択信号に基づいて画質設定情報ＳＩＮＦを選択する。これにより、制御部２８は、ユーザの所望する画質設定情報ＳＩＮＦを選択できる。
【００２９】
ステップＳ１２０では、例えば、制御部２８は、スポット測光が実施されるとき、比較処理（例えば、ステップＳ１５０）を実施するか否かを判定する。例えば、制御部２８は、図４で説明する環境設定情報に基づいて、比較処理を実施するか否かを判定する。ここで、比較処理は、例えば、カスタム画質設定ＳＩＮＦの参照値（露出補正量）と、撮像装置１０の設定値（露出補正量）とを比較する処理である。
【００３０】
スポット測光時に比較処理を実施する場合（ステップＳ１２０のＹｅｓ）、制御部２８の動作は、ステップＳ１４０に移る。一方、スポット測光時に比較処理を実施しない場合（ステップＳ１２０のＮｏ）、制御部２８の動作は、ステップＳ１３０に移る。
【００３１】
ステップＳ１３０では、制御部２８は、測光方式がスポット測光か否かを判定する。測光方式がスポット測光の場合（ステップＳ１３０のＹｅｓ）、制御部２８は、例えば、ユーザに選択された画質設定情報ＳＩＮＦの種類（カスタム画質設定ＳＩＮＦ、汎用画質設定ＳＩＮＦ）に拘わらず、画質設定処理を終了する。これにより、ユーザの意図しない警告等の不要な処理がスポット測光時に実施されることを防止できる。一方、測光方式がスポット測光でない場合（ステップＳ１３０のＮｏ）、制御部２８の動作は、ステップＳ１４０に移る。
【００３２】
ステップＳ１４０では、制御部２８は、ステップＳ１１０で選択した画質設定情報ＳＩＮＦがカスタム画質設定ＳＩＮＦか否かを判定する。ステップＳ１１０で選択された画質設定情報ＳＩＮＦがカスタム画質設定ＳＩＮＦの場合（ステップＳ１４０のＹｅｓ）、制御部２８の動作は、ステップＳ１５０に移る。
【００３３】
一方、ステップＳ１１０で選択された画質設定情報ＳＩＮＦがカスタム画質設定ＳＩＮＦでない場合（ステップＳ１４０のＮｏ）、制御部２８は、比較処理を実施することなく、画質設定処理を終了する。すなわち、制御部２８は、汎用画質設定ＳＩＮＦ（例えば、スタンダード、ニュートラル、ビビット、モノクローム、ポートレイトおよびランドスケープ）が選択された場合、比較処理を実施することなく、画質設定処理を終了する。このため、汎用画質設定ＳＩＮＦには、参照値が含まれていなくてもよい。
【００３４】
ステップＳ１５０では、制御部２８は、ステップＳ１１０で選択した画質設定情報ＳＩＮＦの参照値（露出補正量）と、撮像装置１０の設定値（露出補正量）とを比較する。例えば、制御部２８は、参照値と設定値との差（絶対値）が所定値（例えば、０．５ＥＶ）より大きいか否かを判定する。ここで、所定値は、“０”に設定されてもよい。例えば、所定値は、画質設定装置１００により、０以上の値に設定される。なお、所定値は、撮像装置１０の操作部４０の操作により変更可能に設定されもよい。
【００３５】
参照値と設定値との差が所定値より大きい場合（ステップＳ１５０のＹｅｓ）、制御部２８の動作は、ステップＳ１６０に移る。一方、参照値と設定値との差が所定値以下の場合（ステップＳ１５０のＮｏ）、制御部２８は、警告等の処理（ステップＳ１６０）を実施することなく、画質設定処理を終了する。
【００３６】
ステップＳ１６０では、制御部２８は、警告処理または自動設定処理を実施する。例えば、制御部２８は、図４で説明する環境設定情報に基づいて、警告処理および自動設定処理のいずれかを実施する。ここで、警告処理は、例えば、ユーザに対して警告を発する処理である。制御部２８による警告は、警告音により実施されてもよいし、表示部３８への警告表示により実施されてもよい。また、自動設定処理は、ステップＳ１１０で選択された画質設定情報ＳＩＮＦの参照値を、撮影時の露出補正量として設定する処理である。
【００３７】
このように、制御部２８は、撮影時の露出補正量として設定されている設定値と画質設定情報ＳＩＮＦの参照値とを比較し、比較結果に応じた処理を実施する。これにより、この実施形態では、例えば、露出量を補正する撮影を実施する場合でも、撮影画像をユーザの所望する画質にできる。
【００３８】
例えば、ステップＳ１６０で警告処理が実施される場合、ユーザは、撮影を実施する前に、参照値と設定値との差が所定値より大きいか否かを警告により判断できる。例えば、警告が発せられた場合、ユーザは、画質設定情報ＳＩＮＦの再選択や撮像装置１０の露出補正量の再設定を実施する。これにより、この実施形態では、例えば、露出量を補正する撮影を実施する場合でも、撮影時の露出補正量と画質設定情報ＳＩＮＦの露出補正量との差が所定値より大きくなることを防止できる。したがって、この実施形態では、撮影画像をユーザの所望する画質にできる。
【００３９】
また、例えば、ステップＳ１６０で自動設定処理が実施される場合でも、撮影時の露出補正量と画質設定情報ＳＩＮＦの露出補正量との差が所定値より大きくなることを防止でき、撮影画像をユーザの所望する画質にできる。なお、制御部２８は、自動設定処理を実施する際、撮影時の露出補正量を画質設定情報ＳＩＮＦの参照値に変更することを示す確認表示を、表示部３８に表示してもよい。あるいは、制御部２８は、自動設定処理を実施するか否かを選択するための確認表示を、表示部３８に表示してもよい。
【００４０】
なお、自動設定処理が実施された場合、制御部２８は、カスタム画質設定ＳＩＮＦを使用した撮影が終了したとき、撮影時の露出補正量を元の設定値（自動設定処理が実施される前に撮像装置１０に設定されていた露出補正量）に戻す。これにより、例えば、次回の撮影で汎用画質設定ＳＩＮＦが選択された場合でも、ユーザの意図しない露出補正量で撮影されることを防止できる。
【００４１】
また、この実施形態では、制御部２８は、警告処理または自動設定処理をスポット測光時に実施するか否かを、例えば、図４で説明する環境設定情報を用いて設定できる。したがって、この実施形態では、スポット測光時の警告等が不要な場合、警告処理および自動設定処理をスポット測光時に実施しないように設定できる。この場合、制御部２８は、例えば、ステップＳ１２０において、スポット測光時に比較処理を実施しないと判定する。そして、制御部２８は、スポット測光が実施されるとき（ステップＳ１３０のＹｅｓ）、警告処理および自動設定処理を実施することなく、画質設定処理を終了する。これにより、ユーザの意図しない警告等の不要な処理がスポット測光時に実施されることを防止できる。
【００４２】
例えば、多分割測光（マルチパターン測光）や中央部重点測光のときに露出補正を実施する場合では、撮影画像を意図的に暗くあるいは明るくする場合が想定される。このため、撮影時の露出補正量と画質設定情報ＳＩＮＦの露出補正量との差が小さい方が、撮影画像をユーザの所望する画質に近づけることができる。
【００４３】
これに対し、スポット測光では、一般的に、適切な露出量（標準的な明るさの露出量）を得るために露出補正が実施される。例えば、画面内の輝度差が大きい場合、多分割測光や中央部重点測光では、適切な露出量が得られないことがある。この場合、スポット測光で撮影範囲の一部を測光し、露出補正を実施することにより、適切な露出量が得られことがある。したがって、スポット測光では、画質設定情報ＳＩＮＦの露出補正量が“０”のとき（標準的な明るさの露出量）、撮影時の露出補正量（適切な露出量にするための露出補正量）と画質設定情報ＳＩＮＦの露出補正量との差が所定値より大きくなる場合がある。この場合、撮影時の露出補正量と画質設定情報ＳＩＮＦの露出補正量との差を小さくする必要がないため、警告等は不要である。
【００４４】
なお、制御部２８による画質設定処理の動作は、図２の例に限定されない。例えば、制御部２８は、ステップＳ１２０の処理とステップＳ１３０の処理の順番を逆にして実施してもよい。また、制御部２８は、ステップＳ１４０の後に、ステップＳ１２０、Ｓ１３０の処理を実施してもよい。すなわち、ステップＳ１２０、Ｓ１３０の処理は、例えば、ステップＳ１６０の処理より前に実施されればよい。なお、ステップＳ１５０の後にステップＳ１２０、Ｓ１３０の処理が実施される場合、制御部２８は、ステップＳ１２０の処理として、警告処理または自動設定処理をスポット測光時に実施するか否かを判定すればよい。
【００４５】
例えば、制御部２８は、ステップＳ１５０の処理を実施した後に、警告処理または自動設定処理をスポット測光時に実施するか否かを判定する（ステップＳ１２０に対応する処理）。警告処理または自動設定処理をスポット測光時に実施する場合、制御部２８の動作は、ステップＳ１６０に移る。一方、警告処理または自動設定処理をスポット測光時に実施しない場合、制御部２８は、測光方式がスポット測光か否かを判定する（ステップＳ１３０に対応する処理）。そして、測光方式がスポット測光でない場合、制御部２８の動作は、ステップＳ１６０に移る。なお、測光方式がスポット測光の場合、制御部２８による画質設定処理の動作は、終了する。
【００４６】
図３は、図１に示した画質設定装置１００の編集画面１１０の一例を示している。図３の網掛けは、ユーザの操作により選択された画質設定情報ＳＩＮＦを示している。画質設定装置１００は、画質設定装置１００に保存されている画質設定情報ＳＩＮＦのリストＬＳＴ、サンプル画像ＳＰＬ、画質を調整するためのパラメータリストＰＬＳ等を編集画面１１０に表示する。パラメータリストＰＬＳには、画像処理に用いられるパラメータ等が表示される。
【００４７】
例えば、ユーザは、編集する画質設定情報ＳＩＮＦをリスト表示された画質設定情報ＳＩＮＦから選択する。画質設定装置１００は、例えば、選択された画質設定情報ＳＩＮＦの画質情報ＱＩＮＦが示すパラメータ値を編集画面１１０のパラメータリストＰＬＳに表示する。例えば、輪郭強調、コントラスト、明るさ、彩度および色合い等のパラメータ値は、スライダーあるいは数値入力により変更可能である。画質設定装置１００は、例えば、パラメータリストＰＬＳに表示されたパラメータ値に基づいて、サンプル画像ＳＰＬの画像処理を実施する。これにより、画像処理後のサンプル画像ＳＰＬが編集画面１１０に表示される。
【００４８】
ユーザは、例えば、輪郭強調、コントラスト、明るさ、彩度および色合い等のパラメータ値をスライダーあるいは数値入力により調整し、調整結果が反映されたサンプル画像ＳＰＬを確認することにより、所望のパラメータ値を決定する。なお、クイック調整は、例えば、輪郭強調、コントラストおよび彩度を一括して調整する際に選択される。これにより、ユーザは、輪郭強調、コントラストおよび彩度を、簡単にバランス良く調整できる。また、トーンカーブは、例えば、読み込みおよび保存可能なデータであり、コントラストおよび明るさを同時に調整する際に使用される。
【００４９】
画質設定装置１００は、例えば、ユーザにより調整されたパラメータ値を示す画質情報ＱＩＮＦをカスタム画質設定ＳＩＮＦとして保存する。この際、画質設定装置１００は、パラメータ値の調整の際に参照されたサンプル画像ＳＰＬの露出補正量を示す参照値も、カスタム画質設定ＳＩＮＦの一部として保存する。カスタム画質設定ＳＩＮＦ等の画質設定情報ＳＩＮＦを撮像装置１０で使用する場合、ユーザは、例えば、撮像装置１０に転送する画質設定情報ＳＩＮＦを選択し、“エクスポート”ボタンをクリックする。画質設定装置１００は、“エクスポート”ボタンのクリックを検出したとき、選択された画質設定情報ＳＩＮＦを画質設定装置１００に接続されたメモリカード等に記憶する。そして、画質設定情報ＳＩＮＦを記憶したメモリカード等が撮像装置１０に接続されることにより、画質設定情報ＳＩＮＦは、撮像装置１０に読み込まれる。
【００５０】
すなわち、画質設定装置１００は、サンプル画像ＳＰＬを使用して調整された画質情報ＱＩＮＦとサンプル画像ＳＰＬの露出補正量を示す参照値とを含む画質設定情報ＳＩＮＦをメモリカード等の着脱可能な記憶媒体に記憶する。画質設定情報ＳＩＮＦは、上書き保存されてもよいし、新規に保存されてもよい。なお、調整後の画質情報ＱＩＮＦがスタンダード等の汎用画質設定ＳＩＮＦに上書き保存される場合、サンプル画像ＳＰＬの露出補正量を示す参照値は、画質設定情報ＳＩＮＦに保存されない。
【００５１】
ここで、サンプル画像ＳＰＬは、撮影された画像に変更可能である。例えば、画質設定装置１００は、“サンプル画像”ボタンのクリックを検出したとき、サンプル画像ＳＰＬを選択するためのダイアログボックスを表示する。これにより、ユーザは、例えば、サンプル画像ＳＰＬを、ユーザが撮影した画像に変更できる。
【００５２】
このように、画質設定装置１００は、画像処理に用いる画質情報ＱＩＮＦを調整するためのサンプル画像ＳＰＬを表示し、サンプル画像ＳＰＬを使用して調整された画質情報ＱＩＮＦとサンプル画像ＳＰＬの露出補正量を示す参照値とを含む画質設定情報ＳＩＮＦを生成する。これにより、この実施形態では、撮影画像をユーザの所望する画質にするための画質設定情報ＳＩＮＦを生成できる。
【００５３】
なお、画質設定装置１００は、露出量を補正する撮影により得られたサンプル画像ＳＰＬを編集画面１１０に表示したとき、露出補正されたサンプル画像ＳＰＬであることを警告してもよい。あるいは、画質設定装置１００は、露出量を補正する撮影により得られたサンプル画像ＳＰＬに基づいて画質情報ＱＩＮＦが調整された場合、調整後の画質情報ＱＩＮＦを含む画質設定情報ＳＩＮＦの保存時に、画質情報ＱＩＮＦが露出補正されたサンプル画像ＳＰＬに基づいて調整されたことを警告してもよい。すなわち、画質設定装置１００は、画質設定情報ＳＩＮＦの生成に使用するサンプル画像ＳＰＬが露出補正されているとき、警告を発してもよい。これにより、ユーザが露出補正されたサンプル画像ＳＰＬの使用を意図していないときに、露出補正されたサンプル画像ＳＰＬが使用されることを防止できる。
【００５４】
また、画質設定装置１００は、“環境設定”ボタンのクリックを検出したとき、撮像装置１０の処理内容を選択するためのダイアログボックス（環境設定画面）を表示する。環境設定画面の一例は、図４で説明する。例えば、環境設定画面を介して設定された処理内容を示す環境設定情報は、カスタム画質設定ＳＩＮＦの一部として保存される。したがって、撮像装置１０は、例えば、カスタム画質設定ＳＩＮＦを取得することにより、環境設定情報を取得する。
【００５５】
図４は、図１に示した画質設定装置１００の環境設定画面１２０の一例を示している。環境設定画面１２０は、例えば、図３に示した編集画面１１０の“環境設定”ボタンがクリックされたとき、表示される。例えば、環境設定画面１２０の“カメラの露出補正値とサンプル画像の露出補正値との差が０．５ＥＶより大きい場合は警告する”は、図２で説明した警告処理に対応する。０．５ＥＶは、例えば、所定値の初期値として設定されている値である。なお、所定値は、数値入力等により変更可能であり、“０”に設定されてもよい。また、環境設定画面１２０の“カメラの露出補正値をサンプル画像の露出補正値に変更する”は、図２で説明した自動設定処理に対応する。例えば、ユーザは、環境設定画面１２０のラジオボタンにより、警告処理と自動設定処理とのいずれかを画質設定処理で実施する処理として選択する。
【００５６】
また、環境設定画面１２０の“カメラの測光方式がスポット測光の場合は、上記の警告または変更を実施しない”のチェックボックスにより、スポット測光が実施されるとき、警告処理または自動設定処理を実施するか否かが選択される。例えば、“カメラの測光方式がスポット測光の場合は、上記の警告または変更を実施しない”が選択された場合、撮像装置１０の制御部２８は、図２に示したステップＳ１２０において、スポット測光時に比較処理を実施しないと判定する。また、“カメラの測光方式がスポット測光の場合は、上記の警告または変更を実施しない”が選択されていない場合、撮像装置１０の制御部２８は、図２に示したステップＳ１２０において、スポット測光時に比較処理を実施すると判定する。
【００５７】
このように、カスタム画質設定ＳＩＮＦが選択されたときの処理内容は、環境設定画面１２０を介して設定される。そして、環境設定画面１２０を介して設定された処理内容は、例えば、“適用”ボタンのクリックにより、環境設定情報として保存される。例えば、画質設定装置１００は、画質情報ＱＩＮＦおよび参照値をカスタム画質設定ＳＩＮＦとして保存する際、環境設定情報もカスタム画質設定ＳＩＮＦの一部として保存する。なお、環境設定情報は、カスタム画質設定ＳＩＮＦ毎に保存されてもよいし、カスタム画質設定ＳＩＮＦで共通に保存されてもよい。例えば、環境設定情報がカスタム画質設定ＳＩＮＦ毎に保存される場合、撮像装置１０の制御部２８は、選択されたカスタム画質設定ＳＩＮＦの環境設定情報に基づいて、警告処理等の動作を実施する。また、例えば、環境設定情報がカスタム画質設定ＳＩＮＦで共通に保存される場合、環境設定情報は、カスタム画質設定ＳＩＮＦとは別に保存されてもよい。この場合、環境設定情報は、例えば、メモリカードにより、画質設定装置１００から撮像装置１０に転送される。
【００５８】
以上、この実施形態では、撮像装置１０は、撮影画像の画質を設定するための画質設定処理を実施する制御部２８を有している。制御部２８は、警告等により、画質設定情報ＳＩＮＦの生成に使用されたサンプル画像ＳＰＬの露出補正量（参照値）と撮影時の露出補正量との差が所定値より大きくなることを防止する。これにより、この実施形態では、撮影画像の出来映えを、画質設定装置１００で調整したときのサンプル画像ＳＰＬの出来映えに近づけることができる。すなわち、この実施形態では、撮影画像をユーザの所望する画質にできる。
【００５９】
図５は、別の実施形態における撮像装置１０の制御部２８の動作の一例を示している。なお、図５は、画質設定処理のリスト表示までの動作の一例を示している。上述した実施形態で説明した要素と同一の要素については、同一の符号を付し、これ等については、詳細な説明を省略する。この実施形態の撮像装置１０では、制御部２８の画質設定処理の動作が図１−図４で説明した実施形態と相違する。撮像装置１０のその他の構成および動作は、図１−図４で説明した実施形態と同じである。
【００６０】
また、画質設定装置１００の構成は、図４に示した環境設定画面１２０を除いて、図１−図４で説明した実施形態と同じである。例えば、この実施形態の環境設定画面１２０では、警告処理および自動設定処理のいずれかを選択するためのラジオボタン等が図４に示した環境設定画面１２０から省かれている。また、この実施形態の環境設定画面１２０では、図４に示した“カメラの測光方式がスポット測光の場合は、上記の警告または変更を実施しない”のチェックボックスの代わりに、例えば、“カメラの測光方式がスポット測光の場合は、表示切り替えを実施しない”のチェックボックスが設けられる。
【００６１】
環境設定画面１２０を介して設定された処理内容は、上述した実施形態と同様に、環境設定情報に反映される。そして、環境設定情報は、例えば、メモリカードにより、画質設定装置１００から撮像装置１０に転送される。したがって、例えば、“カメラの測光方式がスポット測光の場合は、表示切り替えを実施しない”が選択された場合、撮像装置１０の制御部２８は、ステップＳ２００において、スポット測光時に比較処理を実施しないと判定する。
【００６２】
図５の動作では、例えば、制御部２８は、ステップＳ２００が実施される前に、画質設定装置１００により生成されたカスタム画質設定ＳＩＮＦを取得する。例えば、制御部２８は、画質設定情報ＳＩＮＦを読み込むための処理が選択されたとき、記憶媒体インターフェース３６に接続された記憶媒体から画質設定情報ＳＩＮＦを読み込む。そして、制御部２８は、読み込んだ画質設定情報ＳＩＮＦを撮像装置１０で使用できるように設定する。また、図５の動作では、比較処理が実施されたか否かを示すフラグ等の情報は、例えば、撮像装置１０の設定値（露出補正量）が変更される毎にリセットされる。なお、ステップＳ２００−Ｓ２６０は、例えば、制御部２８により、メモリ３４に記憶された画質設定プログラムに従って実施される。
【００６３】
ステップＳ２００では、例えば、制御部２８は、スポット測光が実施されるとき、比較処理（例えば、ステップＳ２４０）を実施するか否かを判定する。例えば、制御部２８は、環境設定情報に基づいて、比較処理を実施するか否かを判定する。スポット測光時に比較処理を実施する場合（ステップＳ２００のＹｅｓ）、制御部２８の動作は、ステップＳ２３０に移る。一方、スポット測光時に比較処理を実施しない場合（ステップＳ２００のＮｏ）、制御部２８の動作は、ステップＳ２１０に移る。
【００６４】
ステップＳ２１０では、制御部２８は、測光方式がスポット測光か否かを判定する。測光方式がスポット測光の場合（ステップＳ２１０のＹｅｓ）、制御部２８の動作は、ステップＳ２２０に移る。一方、測光方式がスポット測光でない場合（ステップＳ２１０のＮｏ）、制御部２８の動作は、ステップＳ２３０に移る。
【００６５】
ステップＳ２２０では、制御部２８は、画質設定情報ＳＩＮＦ（より詳細には、カスタム画質設定ＳＩＮＦ）の選択不可の設定を一時的に無効にする。例えば、制御部２８は、スポット測光が選択されている期間では、カスタム画質設定ＳＩＮＦ（例えば、前回の画質設定処理のステップＳ２５０で選択不可に設定されたカスタム画質設定ＳＩＮＦ）の選択不可の設定を無効にする。すなわち、制御部２８は、スポット測光が実施される場合、カスタム画質設定ＳＩＮＦの参照値と撮像装置１０の設定値との差が所定値以下か否かに拘わらず、全ての画質設定情報ＳＩＮＦを選択可能な画質設定情報ＳＩＮＦとして処理する。ステップＳ２２０の処理が実施された後、制御部２８の動作は、ステップＳ２６０に移る。
【００６６】
ステップＳ２３０では、制御部２８は、比較処理（例えば、ステップＳ２４０）が実施されていないカスタム画質設定ＳＩＮＦが存在するか否かを判定する。比較処理が実施されていないカスタム画質設定ＳＩＮＦが存在する場合（ステップＳ２３０のＹｅｓ）、制御部２８の動作は、ステップＳ２４０に移る。一方、比較処理が実施されていないカスタム画質設定ＳＩＮＦが存在しない場合（ステップＳ２３０のＮｏ）、制御部２８の動作は、ステップＳ２６０に移る。すなわち、全てのカスタム画質設定ＳＩＮＦに対して比較処理が実施された後、制御部２８の動作は、ステップＳ２６０に移る。
【００６７】
ステップＳ２４０では、制御部２８は、カスタム画質設定ＳＩＮＦの参照値（露出補正量）と、撮像装置１０の設定値（露出補正量）とを比較する。例えば、制御部２８は、参照値と設定値との差（絶対値）が所定値（例えば、０．５ＥＶ）以下か否かを判定する。ここで、所定値は、“０”に設定されてもよい。例えば、所定値は、画質設定装置１００により、０以上の値に設定される。なお、所定値は、撮像装置１０の操作部４０の操作により変更可能に設定されもよい。
【００６８】
参照値と設定値との差が所定値以下の場合（ステップＳ２４０のＹｅｓ）、制御部２８の動作は、ステップＳ２３０に戻る。一方、参照値と設定値との差が所定値より大きい場合（ステップＳ２４０のＮｏ）、制御部２８の動作は、ステップＳ２５０に移る。
【００６９】
ステップＳ２５０では、制御部２８は、参照値と設定値との差が所定値より大きいと判定したカスタム画質設定ＳＩＮＦを選択不可に設定する。なお、選択不可に設定されていない画質設定情報ＳＩＮＦは、選択可能に設定されている。すなわち、制御部２８は、参照値と設定値との差が所定値以下と判定したカスタム画質設定ＳＩＮＦを選択可能に設定する。このように、制御部２８は、設定値との差が所定値以内の参照値を含むカスタム画質設定ＳＩＮＦを、選択可能に設定する。また、汎用画質設定ＳＩＮＦは、例えば、選択可能に常に設定される。このため、汎用画質設定ＳＩＮＦには、参照値が含まれていなくてもよい。ステップＳ２５０の処理が実施された後、制御部２８の動作は、ステップＳ２３０に戻る。
【００７０】
ステップＳ２６０では、制御部２８は、例えば、選択可能な画質設定情報ＳＩＮＦを表示部３８にリスト表示する。なお、制御部２８は、例えば、選択可能な画質設定情報ＳＩＮＦと選択不可な画質設定情報ＳＩＮＦとを区別して表示部３８に表示してもよい。例えば、制御部２８は、選択可能な画質設定情報ＳＩＮＦを黒色で表示し、選択不可な画質設定情報ＳＩＮＦを灰色で表示してもよい。すなわち、表示部３８は、選択可能な画質設定情報ＳＩＮＦを示す表示を行う。これにより、この実施形態では、設定値との差が所定値より大きい参照値を含む画質設定情報ＳＩＮＦが選択されることを防止できる。
【００７１】
このように、この実施形態では、設定値との差が所定値より大きい参照値を含む画質設定情報ＳＩＮＦが選択不可に設定されるため、選択された画質設定情報ＳＩＮＦの参照値と撮像装置１０の設定値との差が所定値より大きくなることを防止できる。したがって、この実施形態においても、撮影画像をユーザの所望する画質にできる。例えば、露出量を補正する撮影を実施する場合でも、撮影時の露出補正量と画質設定情報ＳＩＮＦの露出補正量との差が所定値より大きくなることを防止でき、撮影画像をユーザの所望する画質にでる。
【００７２】
なお、所定値が“０”の場合、制御部２８は、設定値と同じ参照値を含む画質設定情報ＳＩＮＦを、選択可能に設定する。この場合、制御部２８は、ステップＳ２４０において、参照値と設定値の差を算出することなく、参照値が設定値と同じか否かを判定してもよい。
【００７３】
また、この実施形態では、制御部２８は、設定値との差が所定値より大きい参照値を含むカスタム画質設定ＳＩＮＦをスポット測光時に選択不可にするか否かを、例えば、環境設定情報を用いて設定できる。したがって、この実施形態では、スポット測光時に全てのカスタム画質設定ＳＩＮＦを選択対象にする場合、参照値と設定値との差が所定値より大きいカスタム画質設定ＳＩＮＦをスポット測光時に選択可能にできる。この場合、制御部２８は、例えば、ステップＳ２００において、スポット測光時に比較処理を実施しないと判定する。そして、制御部２８は、スポット測光が実施されるとき（ステップＳ２１０のＹｅｓ）、参照値と設定値との差が所定値より大きいカスタム画質設定ＳＩＮＦの選択不可の設定を一時的に無効にする。これにより、この実施形態では、ユーザの意図に反して、カスタム画質設定ＳＩＮＦがスポット測光時に選択不可に設定されることを防止できる。
【００７４】
なお、制御部２８による画質設定処理の動作は、図５の例に限定されない。例えば、制御部２８は、比較処理が実施されたか否かを示すフラグ等の情報を、画質設定処理の動作が実施される毎にリセットしてもよい。なお、制御部２８は、比較処理が実施されたか否かを示すフラグ等の情報をリセットする際に、全てのカスタム画質設定ＳＩＮＦを選択可能に設定してもよい。この場合、制御部２８は、図５に示した動作からステップＳ２２０の処理を省いて実施してもよい。
【００７５】
また、例えば、制御部２８は、ステップＳ２００の処理とステップＳ２１０の処理の順番を逆にして実施してもよい。あるいは、制御部２８は、全てのカスタム画質設定ＳＩＮＦに対して比較処理が実施された後（ステップＳ２３０のＮｏ）、ステップＳ２００−Ｓ２２０の処理を実施してもよい。なお、ステップＳ２００−Ｓ２２０の処理を実施する前にステップＳ２４０の処理が実施される場合、制御部２８は、ステップＳ２００の処理として、設定値との差が所定値より大きい参照値を含むカスタム画質設定ＳＩＮＦをスポット測光時に選択不可にするか否かを判定すればよい。
【００７６】
例えば、制御部２８は、全てのカスタム画質設定ＳＩＮＦに対して比較処理が実施された後（ステップＳ２３０のＮｏ）、設定値との差が所定値より大きい参照値を含むカスタム画質設定ＳＩＮＦをスポット測光時に選択不可にするか否かを判定する（ステップＳ２００に対応する処理）。設定値との差が所定値より大きい参照値を含むカスタム画質設定ＳＩＮＦをスポット測光時に選択不可にする場合、制御部２８の動作は、ステップＳ２６０に移る。
【００７７】
一方、設定値との差が所定値より大きい参照値を含むカスタム画質設定ＳＩＮＦをスポット測光時に選択不可にしない場合、制御部２８は、測光方式がスポット測光か否かを判定する（ステップＳ２１０に対応する処理）。そして、測光方式がスポット測光の場合、制御部２８は、画質設定情報ＳＩＮＦの選択不可の設定を一時的に無効にする（ステップＳ２２０に対応する処理）。なお、測光方式がスポット測光でない場合、制御部２８の動作は、ステップＳ２６０に移る。
【００７８】
また、制御部２８は、ステップＳ２５０の処理が実施された後でステップＳ２３０の処理に戻る前に、ステップＳ２００−Ｓ２２０の処理を実施してもよい。この場合、制御部２８は、選択不可の設定を一時的に無効にするか否か（ステップＳ２２０の処理を実施するか否か）を、選択不可のカスタム画質設定ＳＩＮＦ毎に選択できる。
【００７９】
以上、この実施形態においても、制御部２８は、撮影時の露出補正量として設定されている設定値と画質設定情報ＳＩＮＦの参照値とを比較し、比較結果に応じた処理を実施する。したがって、この実施形態においても、図１−図４で説明した実施形態と同様の効果を得ることができる。
【００８０】
なお、上述した実施形態では、撮像装置１０がデジタルカメラである場合の例について述べた。本発明は、かかる実施形態に限定されるものではない。例えば、本発明の撮像装置１０は、カメラ付き携帯電話やデジタルビデオ等の電子機器に適用されてもよい。この場合にも、上述した実施形態と同様の効果を得ることができる。
【００８１】
上述した実施形態では、画質設定情報ＳＩＮＦが画質設定装置１００から撮像装置１０に記憶媒体を介して転送される例について述べた。本発明は、かかる実施形態に限定されるものではない。例えば、画質設定情報ＳＩＮＦは、画質設定装置１００と撮像装置１０とをＵＳＢケーブルで接続することにより、画質設定装置１００から撮像装置１０に転送されてもよい。このように、画質設定情報ＳＩＮＦは、有線通信により、画質設定装置１００から撮像装置１０に転送されてもよい。あるいは、画質設定情報ＳＩＮＦは、無線通信により、画質設定装置１００から撮像装置１０に転送されてもよい。この場合にも、上述した実施形態と同様の効果を得ることができる。
【００８２】
上述した実施形態では、環境設定情報が画質設定装置１００で生成される例について述べた。本発明は、かかる実施形態に限定されるものではない。例えば、環境設定情報は、撮像装置１０で生成されてもよい。この場合、例えば、図４に示した環境設定画面１２０は、環境設定情報を生成する際に、撮像装置１０の表示部３８に表示される。これにより、カスタム画質設定ＳＩＮＦが選択されたときの処理内容を、撮像装置１０で設定できる。この場合にも、上述した実施形態と同様の効果を得ることができる。
【００８３】
上述した実施形態では、画質設定情報ＳＩＮＦが画質設定装置１００で生成される例について述べた。本発明は、かかる実施形態に限定されるものではない。例えば、撮像装置１０は、図３および図４で説明した画質設定装置１００の機能を有してもよい。これにより、撮像装置１０は、画質設定情報ＳＩＮＦを生成できる。なお、撮像装置１０は、サンプル画像ＳＰＬを使用して画質設定情報ＳＩＮＦを生成してもよいし、サンプル画像ＳＰＬを使用せずに画質設定情報ＳＩＮＦを生成してもよい。例えば、撮像装置１０は、サンプル画像ＳＰＬを使用せずに画質設定情報ＳＩＮＦを生成する場合、撮像装置１０に設定されている露出補正量を、画質設定情報ＳＩＮＦの参照値として保存する。この場合にも、上述した実施形態と同様の効果を得ることができる。
【００８４】
上述した実施形態では、参照値が汎用画質設定ＳＩＮＦに含まれない例について述べた。本発明は、かかる実施形態に限定されるものではない。例えば、参照値は、汎用画質設定ＳＩＮＦに含まれてもよい。この場合、汎用画質設定ＳＩＮＦの参照値の初期値は、例えば、“０”に設定される。参照値が汎用画質設定ＳＩＮＦに含まれる場合、撮像装置１０は、汎用画質設定ＳＩＮＦの参照値と撮像装置１０の設定値とを比較し、カスタム画質設定ＳＩＮＦと同様の処理を実施してもよい。この場合にも、上述した実施形態と同様の効果を得ることができる。
【００８５】
上述した実施形態では、撮影画像データＩＭＧＤＡＴＡが記憶媒体に記憶される例について述べた。本発明は、かかる実施形態に限定されるものではない。例えば、撮影画像データＩＭＧＤＡＴＡを圧縮した圧縮画像データが記憶媒体インターフェース３６を介して記憶媒体に記憶されてもよい。この場合、例えば、撮像装置１０は、撮影画像データＩＭＧＤＡＴＡをＪＰＥＧ（Joint Photographic Experts Group）形式等で圧縮する圧縮部を有する。この場合にも、上述した実施形態と同様の効果を得ることができる。なお、ＲＡＷ画像データＲＡＷＤＡＴＡに戻せない形式（例えば、ＪＰＥＧ形式）で画像データが記憶媒体に記憶される場合、撮影後に画質を調整することが困難であるため、撮影時の画質設定がさらに重要である。撮影時の露出量を補正する露出補正量とサンプル画像ＳＰＬの露出補正量との差が大きくなることを防止できる撮像装置１０では、撮影後に画質を調整することなく、ユーザの所望する画質の撮影画像を生成できる。
【００８６】
上述した実施形態では、スポット測光時の処理を選択する例について述べた。本発明は、かかる実施形態に限定されるものではない。例えば、制御部２８は、図２に示した動作からステップＳ１２０の処理を省いて実施してもよいし、図５に示した動作からステップＳ２００の処理を省いて実施してもよい。この場合、制御部２８の動作を簡易にできる。あるいは、制御部２８は、図２に示した動作からステップＳ１２０、Ｓ１３０の処理を省いて実施してもよいし、図５に示した動作からステップＳ２００−Ｓ２２０の処理を省いて実施してもよい。この場合、制御部２８は、スポット測光時でも、測光方式がスポット測光でない場合と同じ処理を実施する。この場合、制御部２８の動作をさらに簡易にできる。
【００８７】
上述した図１−図４で説明した実施形態では、参照値と設定値とを比較した結果に応じて自動設定処理が実施される例について述べた。本発明は、かかる実施形態に限定されるものではない。例えば、制御部２８は、選択された画質設定情報ＳＩＮＦの参照値と撮像装置１０の設定値とを比較せずに、選択された画質設定情報ＳＩＮＦの参照値を撮影時の露出補正量として設定してもよい。この場合、制御部２８は、例えば、図２に示した動作からステップＳ１５０の処理を省いて実施する。なお、比較処理（ステップＳ１５０の処理）が省かれるため、制御部２８は、ステップＳ１２０において、例えば、自動設定処理をスポット測光時に実施するか否かを判定する。この場合にも、上述した実施形態と同様の効果を得ることができる。
【００８８】
上述した図１−図４で説明した実施形態では、カスタム画質設定ＳＩＮＦが選択されたときの処理として警告処理および自動設定処理のいずれかが選択される例について述べた。本発明は、かかる実施形態に限定されるものではない。例えば、カスタム画質設定ＳＩＮＦが選択されたときの処理として、警告処理、自動設定処理および図５で説明した処理のいずれかが選択されてもよい。この場合にも、上述した実施形態と同様の効果を得ることができる。
【００８９】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００９０】
撮像装置に利用できる。
【符号の説明】
【００９１】
１０‥撮像装置；２０‥撮影レンズ；２２‥撮像素子；２４‥アナログ処理部；２６‥Ａ／Ｄ変換部；２８‥制御部；３０‥画像処理部；３２‥バッファ部；３４‥メモリ；３６‥記憶媒体インターフェース；３８‥表示部；４０‥操作部；１００‥画質設定装置；１１０‥編集画面；１２０‥環境設定画面；ＢＵＳ‥バス；ＳＰＬ‥サンプル画像；ＳＹＳ‥カメラシステム
【図１】
0005742206.tif 000002
【図２】
0005742206.tif 000003
【図３】
0005742206.tif 000004
【図４】
0005742206.tif 000005
【図５】
0005742206.tif 000006